(57)【要約】【課題】  主要被写体に合焦するとともに背景被写体がボケた画像を生成するにあたり、撮影時間の短縮化が図られた撮影装置を提供する。【解決手段】  各ピント位置における合焦の程度を表わすＡＦ評価値を被写界距離分布測定手段３４で求め、求めた各領域ごとかつ各ピント位置ごとのＡＦ評価値に基づいて主要被写体領域と背景被写体領域とに領域分離手段３５で分離し、背景被写体領域の全てについてＡＦ評価値が所定の評価閾値以下であって背景被写体領域のＡＦ評価値が最低になるピント位置をボケピント位置検出手段３６で求め、そのピント位置で撮影を行なって背景画像を生成し、かつ、主要被写体に合焦したピント位置で撮影を行なって被写体画像を生成し、それらの画像を画像合成手段３７で合成して、主要被写体に合焦するとともに背景被写体がボケた画像を生成する。【選択図】  図３
2008245054.tif 000002
【特許請求の範囲】
【請求項１】
撮影光学系で撮像素子上に被写体を結像し該撮像素子で被写体像を読み取って画像を生成する撮影装置において、
前記撮像素子上に写る被写界を二次元的に複数の領域に分割したときの各領域について前記撮影光学系のピント位置を移動させていったときの各ピント位置における合焦の程度を表わす評価値を求める被写界距離分布測定手段と、
前記被写界距離分布測定手段で求められた各領域ごとかつ各ピント位置ごとの評価値に基づいて、各領域を主要被写体に属する領域と背景被写体に属する領域とに分離する領域分離手段と、
背景被写体に属する領域の全てについて前記評価値が所定の評価閾値以下であるという第１の条件を満たす範囲で背景被写体に属する領域全てを１つの領域と見なしたときの評価値が最低になる第２の条件を満たすピント位置を求めるボケピント位置検出手段と、
前記ボケピント位置検出手段で求められたピント位置で撮影を行なって第１の画像を生成し、かつ、主要被写体に合焦したピント位置で撮影を行なって第２の画像を生成する撮影手段と、
前記第１の画像と前記第２の画像とを合成して、主要被写体に合焦するとともに背景被写体がボケた画像を生成する画像合成手段とを備えたことを特徴とする撮影装置。
【請求項２】
前記ボケピント位置検出手段による、前記第１の条件および前記第２の条件を満たすピント位置の検出が不能であったときには、前記撮影手段は、前記第２の画像を生成し、かつ、背景被写体に属する各領域の評価値がそれぞれ評価閾値以下となる複数枚の第３の画像を生成するものであって、
前記画像合成手段は、前記第２の画像と前記複数枚の第３の画像とを合成して、主要被写体に合焦するとともに背景被写体がボケた画像を生成するものであることを特徴とする請求項１記載の撮影装置。
【請求項３】
撮影光学系で撮像素子上に被写体を結像し該撮像素子で被写体像を読み取って画像を生成する撮影装置において、
前記撮像素子上に写る被写界を二次元的に複数の領域に分割したときの各領域について前記撮影光学系のピント位置を移動させていったときの各ピント位置における合焦の程度を表わす評価値を求める被写界距離分布測定手段と、
前記被写界距離分布測定手段で求められた各領域ごとかつ各ピント位置ごとの評価値に基づいて、各領域を主要被写体に属する領域と背景被写体に属する領域とに分離する領域分離手段と、
前記被写界距離分布測定手段による被写界距離分布測定のための前記撮影光学系のピント位置の移動に先立って撮影を行なって第１の画像を生成し、かつ、主要被写体に合焦したピント位置で撮影を行なって第２の画像を生成する撮影手段と、
前記第１の画像と前記第２の画像とを合成して、主要被写体に合焦するとともに背景被写体がボケた画像を生成する画像合成手段とを備えたことを特徴とする撮影装置。
【請求項４】
前記第１の画像が、該第１の画像を二次元的に複数の領域に分割したときの各領域のうちの背景被写体に属する各領域の全てについて前記評価値が所定の評価閾値以下であるか否かを判定する背景ボケ判定手段を備え、
前記第１の画像が、前記背景ボケ判定手段により、背景被写体に属する領域の全てについて前記評価値が所定の評価閾値以下であるという条件を満たす画像でなかった場合は、前記撮影手段は、さらに、背景被写体に属する各領域の評価値がそれぞれ評価閾値以下となる複数枚の第３の画像を生成するものであって、
前記画像合成手段は、前記第２の画像と前記複数枚の第３の画像とを合成して、主要被写体に合焦するとともに背景被写体がボケた画像を生成するものであることを特徴とする請求項３記載の撮影装置。
【請求項５】
撮影光学系で撮像素子上に被写体を結像し該撮像素子で被写体像を読み取って画像を生成する撮影装置において、
前記撮像素子上に写る被写界を二次元的に複数の領域に分割したときの各領域について前記撮影光学系のピント位置を移動させていったときの各ピント位置における合焦の程度を表わす評価値を求める被写界距離分布測定手段と、
前記被写界距離分布測定手段で求められた各領域ごとかつ各ピント位置ごとの評価値に基づいて、各領域を主要被写体に属する領域と背景被写体に属する領域とに分離する領域分離手段と、
背景被写体に属する領域それぞれの合焦位置の全てから所定の距離閾値離れたピント位置を検出するボケピント位置検出手段と、
前記ボケピント位置検出手段で求められたピント位置で撮影を行なって第１の画像を生成し、かつ、主要被写体に合焦したピント位置で撮影を行なって第２の画像を生成する撮影手段と、
前記第１の画像と前記第２の画像とを合成して、主要被写体に合焦するとともに背景被写体がボケた画像を生成する画像合成手段とを備えたことを特徴とする撮影装置。
【請求項６】
前記ボケピント位置検出手段による、背景被写体に属する領域それぞれの合焦位置の全てから所定の距離閾値離れたピント位置の検出が不能であったときは、前記撮影手段は、前記第２の画像を生成し、かつ、背景被写体に属する各領域の評価値がそれぞれ評価閾値以下となる複数枚の第３の画像を生成するものであって、
前記画像合成手段は、前記第２の画像と前記複数枚の第３の画像とを合成して、主要被写体に合焦するとともに背景被写体がボケた画像を生成するものであることを特徴とする請求項５記載の撮影装置。
【発明の詳細な説明】
【技術分野】
【０００１】
本発明は、撮影光学系で撮像素子上に被写体を結像しその撮像素子で被写体像を読み取って画像を生成する撮影装置に関する。
【背景技術】
【０００２】
近年、撮影装置の１つであるデジタルカメラや、このデジタルカメラの機能が組み込まれた携帯電話やＰＤＡ（Ｐｅｒｓｏｎａｌ  Ｄｉｇｉｔａｌ  Ａｓｓｉｓｔａｎｔ）といったカメラ付情報端末において、益々の高機能化が求められている。ここで、デジタルカメラは、ロール状の３５ｍｍの写真フイルム上に写真撮影を行なう銀塩カメラと比較して実焦点距離が短いため、焦点深度が深く、一枚の画像中の近距離被写体から遠距離被写体までの全ての被写体が深度内に入ってしまい、従ってデジタルカメラでは背景被写体がボケた画像が得にくいという問題があるが、デジタルカメラの益々の高機能化の１つとして、主要被写体に合焦するとともに背景被写体がボケた画像を生成することにより、立体感や奥行き感がある高品位な画像を得る機能が求められている。
【０００３】
そこで、例えば、特許文献１に、撮影しようとする画像を複数の領域（エリア）に区分けし、主要被写体の前景又は背景となる領域については、その領域の距離に対応する焦点位置からずらして撮影を行ない、撮影された各領域ごとの画像を個別に抽出して主要被写体と合成することにより、好みのボケ量の画像を撮影する技術が提案されている。
【０００４】
また、特許文献２に、焦点条件の異なる２枚の画像の画像情報を受けて、これら２枚の画像の主要部と背景とを検出し、検出結果に応じて、２枚の画像の画像情報の少なくとも一方に、主要部と背景とで異なる画像処理を施す技術が提案されている。
【０００５】
さらに、特許文献３に、１回目の撮影により取得した画像から被写体を抽出して部分画像を切り出しておき、その部分画像を撮影画面上に前景として表示した状態で２回目の撮影を行ない、その前景と２回目の撮影により取得した画像とを合成する技術が提案されている。
【０００６】
また、特許文献４に、焦点距離（ピント）を変えて撮影された複数枚の静止画像から、最もピントが合った部分をそれぞれの画像情報から抜き出して、可能な限り多くの部分にピントが合った１枚の静止画像を合成する技術が提案されている。
【特許文献１】特開２００３−２０９７２７号公報
【特許文献２】特開平１０−２３３９１９号公報
【特許文献３】特開２００６−１２８７５４号公報
【特許文献４】特開平８−３２８５８号公報
【発明の開示】
【発明が解決しようとする課題】
【０００７】
しかし、特許文献１に提案された技術では、主要被写体以外の、前景又は背景（以下、背景被写体と総称する）となる複数の領域それぞれについて、それら複数の領域の距離に対応する焦点位置（ピント位置）からずらして複数枚の撮影を行なう必要がある。従って、撮影時間が長くかかり、また、画像合成処理にも時間がかかるという問題がある。
【０００８】
また、特許文献２に提案された技術では、主要部と背景とで異なる画像処理を施す必要があるため、画像処理に長い時間を要するという問題がある。
【０００９】
さらに、特許文献３には、１回目の撮影により取得した画像の部分画像である前景と２回目の撮影により取得した画像とを合成する技術が提案されているが、主要被写体に合焦するとともに背景被写体がボケた画像を生成する技術に関しては提案されていない。
【００１０】
また、特許文献４には、画像データ全体としてピントが合った静止画像を合成する技術が提案されているものの、やはり主要被写体に合焦するとともに背景被写体がボケた画像を生成する技術に関しては提案されていない。
【００１１】
本発明は、上記事情に鑑み、主要被写体に合焦するとともに背景被写体がボケた画像を生成するにあたり、撮影時間の短縮化が図られた撮影装置を提供することを目的とする。
【課題を解決するための手段】
【００１２】
上記目的を達成する本発明の撮影装置のうちの第１の撮影装置は、撮影光学系で撮像素子上に被写体を結像しその撮像素子で被写体像を読み取って画像を生成する撮影装置において、
上記撮像素子上に写る被写界を二次元的に複数の領域に分割したときの各領域について上記撮影光学系のピント位置を移動させていったときの各ピント位置における合焦の程度を表わす評価値を求める被写界距離分布測定手段と、
上記被写界距離分布測定手段で求められた各領域ごとかつ各ピント位置ごとの評価値に基づいて、各領域を主要被写体に属する領域と背景被写体に属する領域とに分離する領域分離手段と、
背景被写体に属する領域の全てについて上記評価値が所定の評価閾値以下であるという第１の条件を満たす範囲で背景被写体に属する領域全てを１つの領域と見なしたときの評価値が最低になる第２の条件を満たすピント位置を求めるボケピント位置検出手段と、
上記ボケピント位置検出手段で求められたピント位置で撮影を行なって第１の画像を生成し、かつ、主要被写体に合焦したピント位置で撮影を行なって第２の画像を生成する撮影手段と、
上記第１の画像と上記第２の画像とを合成して、主要被写体に合焦するとともに背景被写体がボケた画像を生成する画像合成手段とを備えたことを特徴とする。
【００１３】
本発明の第１の撮影装置は、背景被写体に属する領域の全てについて各領域ごとかつ各ピント位置ごとの評価値が所定の評価閾値以下であるという第１の条件を満たす範囲で背景被写体に属する領域全てを１つの領域と見なしたときの評価値が最低になる第２の条件を満たすピント位置を求め、そのピント位置をボケピント位置として背景被写体を撮影し、かつ、主要被写体を撮影するものである。このようにすることにより、例えば実施形態に示すように、主要被写体撮影後の、背景被写体を撮影するためのレンズずらし量を小さく抑えることができる。このため、背景被写体を撮影するためのレンズ位置と主要被写体を撮影するためのレンズ位置とのレンズずらし量を小さく抑えることができるとともに、背景被写体が確実にボケた画像を少ない撮影枚数で得ることができる。従って、主要被写体に合焦するとともに背景被写体がボケた画像を生成するにあたり、撮影時間を短縮することができる。
【００１４】
ここで、上記ボケピント位置検出手段による、上記第１の条件および上記第２の条件を満たすピント位置の検出が不能であったときには、上記撮影手段は、上記第２の画像を生成し、かつ、背景被写体に属する各領域の評価値がそれぞれ評価閾値以下となる複数枚の第３の画像を生成するものであって、
上記画像合成手段は、上記第２の画像と上記複数枚の第３の画像とを合成して、主要被写体に合焦するとともに背景被写体がボケた画像を生成するものであることが好ましい。
【００１５】
このようにすると、上記第１の条件および上記第２の条件を満たすピント位置の検出が不能であった場合であっても、背景被写体を表わすボケた画像を確実に生成することができる。
【００１６】
また、上記目的を達成する本発明の撮影装置のうちの第２の撮影装置は、撮影光学系で撮像素子上に被写体を結像しその撮像素子で被写体像を読み取って画像を生成する撮影装置において、
上記撮像素子上に写る被写界を二次元的に複数の領域に分割したときの各領域について上記撮影光学系のピント位置を移動させていったときの各ピント位置における合焦の程度を表わす評価値を求める被写界距離分布測定手段と、
上記被写界距離分布測定手段で求められた各領域ごとかつ各ピント位置ごとの評価値に基づいて、各領域を主要被写体に属する領域と背景被写体に属する領域とに分離する領域分離手段と、
上記被写界距離分布測定手段による被写界距離分布測定のための上記撮影光学系のピント位置の移動に先立って撮影を行なって第１の画像を生成し、かつ、主要被写体に合焦したピント位置で撮影を行なって第２の画像を生成する撮影手段と、
上記第１の画像と上記第２の画像とを合成して、主要被写体に合焦するとともに背景被写体がボケた画像を生成する画像合成手段とを備えたことを特徴とする。
【００１７】
本発明の第２の撮影装置は、シャッタボタンが半押しされて撮影開始指示を受けた時点のレンズ位置で撮影を行なって背景被写体を表わす第１の画像を生成し、次いでレンズ位置を移動して各ピント位置における合焦の程度を表わす評価値を求め、この評価値に基づいて分離された主要被写体に合焦したピント位置で撮影を行なって第２の画像を生成し、第１の画像と第２の画像とを合成して、主要被写体に合焦するとともに背景被写体がボケた画像を生成するものである。このため、背景被写体の撮影にあたり、撮影レンズを移動する必要はなく、従って主要被写体に合焦するとともに背景被写体が確実にボケた画像を少ない撮影枚数で生成することができ、撮影時間を短縮することができる。
【００１８】
ここで、上記第１の画像が、その第１の画像を二次元的に複数の領域に分割したときの各領域のうちの背景被写体に属する各領域の全てについて上記評価値が所定の評価閾値以下であるか否かを判定する背景ボケ判定手段を備え、
上記第１の画像が、上記背景ボケ判定手段により、背景被写体に属する領域の全てについて上記評価値が所定の評価閾値以下であるという条件を満たす画像でなかった場合は、上記撮影手段は、さらに、背景被写体に属する各領域の評価値がそれぞれ評価閾値以下となる複数枚の第３の画像を生成するものであって、
上記画像合成手段は、上記第２の画像と上記複数枚の第３の画像とを合成して、主要被写体に合焦するとともに背景被写体がボケた画像を生成するものであることが好ましい。
【００１９】
このようにすると、背景被写体に属する領域の全てについて上記評価値が所定の評価閾値以下であるという条件を満たす画像でなかった場合であっても、背景被写体を表わすボケた画像を確実に生成することができる。
【００２０】
さらに、上記目的を達成する本発明の撮影装置のうちの第３の撮影装置は、撮影光学系で撮像素子上に被写体を結像しその撮像素子で被写体像を読み取って画像を生成する撮影装置において、
上記撮像素子上に写る被写界を二次元的に複数の領域に分割したときの各領域について上記撮影光学系のピント位置を移動させていったときの各ピント位置における合焦の程度を表わす評価値を求める被写界距離分布測定手段と、
上記被写界距離分布測定手段で求められた各領域ごとかつ各ピント位置ごとの評価値に基づいて、各領域を主要被写体に属する領域と背景被写体に属する領域とに分離する領域分離手段と、
背景被写体に属する領域それぞれの合焦位置の全てから所定の距離閾値離れたピント位置を検出するボケピント位置検出手段と、
上記ボケピント位置検出手段で求められたピント位置で撮影を行なって第１の画像を生成し、かつ、主要被写体に合焦したピント位置で撮影を行なって第２の画像を生成する撮影手段と、
上記第１の画像と上記第２の画像とを合成して、主要被写体に合焦するとともに背景被写体がボケた画像を生成する画像合成手段とを備えたことを特徴とする。
【００２１】
本発明の第３の撮影装置は、背景被写体に属する領域それぞれの合焦位置の全てから所定の距離閾値離れたピント位置を検出し、そのピント位置をボケピント位置として背景被写体を撮影するものである。このため、背景被写体の撮影にあたり、レンズずらし位置を、背景被写体に属する領域それぞれの合焦位置の全てから所定の距離閾値分ずらした位置にすればよい。このようにすることにより、背景被写体の撮影におけるレンズずらし量を小さく抑えることができるとともに、背景被写体が確実にボケた画像を少ない撮影枚数で得ることができる。従って、主要被写体に合焦するとともに背景被写体がボケた画像を生成するにあたり、撮影時間を短縮することができる。
【００２２】
ここで、上記ボケピント位置検出手段による、背景被写体に属する領域それぞれの合焦位置の全てから所定の距離閾値離れたピント位置の検出が不能であったときは、上記撮影手段は、上記第２の画像を生成し、かつ、背景被写体に属する各領域の評価値がそれぞれ評価閾値以下となる複数枚の第３の画像を生成するものであって、
上記画像合成手段は、上記第２の画像と上記複数枚の第３の画像とを合成して、主要被写体に合焦するとともに背景被写体がボケた画像を生成するものであることが好ましい。
【００２３】
このようにすると、背景被写体に属する領域それぞれの合焦位置の全てから所定の距離閾値離れたピント位置の検出が不能であった場合であっても、背景被写体を表わすボケた画像を確実に生成することができる。
【発明の効果】
【００２４】
本発明によれば、主要被写体に合焦するとともに背景被写体がボケた画像を生成するにあたり、撮影時間の短縮化が図られた撮影装置を提供することができる。
【発明を実施するための最良の形態】
【００２５】
以下、本発明の実施の形態について説明する。
【００２６】
図１は、本発明の撮影装置の第１実施形態のデジタルカメラを前面斜め上から見た外観斜視図、図２は、図１に示すデジタルカメラを背面斜め上から見た外観斜視図である。
【００２７】
図１，図２に示すデジタルカメラ１は、撮影光学系で撮像素子の１つであるＣＣＤ撮像素子（以下、ＣＣＤと記述する）上に被写体像を結像し、そのＣＣＤで被写体像を読み取って画像を生成する撮影装置である。
【００２８】
このデジタルカメラ１には、図１に示すようにカメラボディ１ａの前面中央部に、撮影光学系を構成する撮影レンズ１１が備えられている。また、このデジタルカメラ１の前面上部には、光学式ファインダ対物窓１２および補助光発光部１３が備えられている。
【００２９】
また、このデジタルカメラ１の上面には、シャッタボタン１４およびスライド式の電源スイッチ１５が備えられている。
【００３０】
さらに、図２に示すように、このデジタルカメラ１の背面には、光学式ファインダ接眼窓１６と、メニュースイッチ１７と、実行／画面切換スイッチ１８と、画像モニタ１９とが備えられている。
【００３１】
図３は、図１に示すデジタルカメラの回路構成を示すブロック図である。
【００３２】
このデジタルカメラ１には、図１にも示す撮影レンズ１１と、ＣＣＤ２２が備えられている。撮影レンズ１１を経由して入射した被写体光は、ＣＣＤ２２上に被写体像として結像される。
【００３３】
また、このデジタルカメラ１には、アナログ信号処理部２３と、Ａ／Ｄ部２４と、デジタル信号処理部２５と、テンポラリメモリ２６と、圧縮伸張部２７と、内蔵メモリ（またはメモリカード）２８と、図２にも示す画像モニタ１９と、駆動回路２９とが備えられている。ＣＣＤ２２は、駆動回路２９内のタイミング発生回路（図示せず）によって発生したタイミングで駆動され、被写体像を表わすアナログの画像信号を出力する。また、駆動回路２９には、撮影レンズ１１を駆動する駆動部も含まれている。ＣＣＤ２２から出力されたアナログの画像信号は、アナログ信号処理部２３でアナログ信号処理され、Ａ／Ｄ部２４でＡ／Ｄ変換されてデジタル信号処理部２５でデジタル信号処理される。デジタル信号処理された信号を表わすデータはテンポラリメモリ２６に一時的に格納される。テンポラリメモリ２６に格納されたデータは、圧縮伸張部２７で圧縮されて内蔵メモリ（またはメモリカード）２８に記録される。尚、撮影モードによっては、圧縮の過程を省いて内蔵メモリ２８に直接記録してもよい。テンポラリメモリ２６に格納されたデータは画像モニタ１９に読み出され、これにより画像モニタ１９に被写体の画像が表示される。
【００３４】
また、デジタルカメラ１には、このデジタルカメラ１全体の制御を行なうＣＰＵ３０と、前述したメニュースイッチ１７および実行／画面切換スイッチ１８からなる操作スイッチ部３１と、図１，図２にも示すシャッタボタン１４とが備えられている。
【００３５】
さらに、デジタルカメラ１には、図１にも示す補助光発光部１３と、画像のピント情報を検出するＡＦ検出回路３２と、画像の輝度情報と白色バランス情報を検出するＡＥ＆ＡＷＢ検出部３３が備えられている。ＡＦ検出回路３２は、詳細には、ＣＣＤ２２で生成された画像信号に基づく画像の被写体距離を測定してＡＦ制御する、いわゆる「山登り方式」によるＡＦ（Ａｕｔｏｍａｔｉｃ  Ｆｏｃｕｓｉｎｇ）制御により、被写体距離を測定する。即ち、撮影レンズ１１を構成するフォーカスレンズ（図示せず）を光軸に沿って前後に微小移動させて、焦点評価値の増減方向をチェックしながら、評価値の極大点まで徐々にフォーカスレンズを移動させることにより、合焦位置を決定する。以上の構成が、本発明にいう撮影手段に相当する。
【００３６】
また、デジタルカメラ１には、被写界距離分布測定手段３４と領域分離手段３５が備えられている。これらについては図４を参照して説明する。
【００３７】
図４は、ＣＣＤ上に写る被写界を二次元的に複数の領域に分割したときの各領域を示す図である。
【００３８】
図４には、ＣＣＤ２２上に写る被写界を二次元的に複数の領域に分割したときの、背景領域番号１，２，３，４，…，Ｎで示す領域からなる背景被写体に属する領域部Ａと、主要被写体に属する領域部Ｂと、それら領域部Ａと領域部Ｂとの境界に位置する領域部Ｃとが示されている。
【００３９】
被写界距離分布測定手段３４は、図４に示す、ＣＣＤ２２上に写る被写界を二次元的に複数の領域に分割したときの各領域（領域部Ａ，Ｂ，Ｃの各領域）について撮影レンズ１１のピント位置を移動させていったときの各ピント位置における合焦の程度を表わすＡＦ評価値（本発明にいう評価値の一例に相当）を求める。
【００４０】
領域分離手段３５は、被写界距離分布測定手段３４で求められた各領域ごとかつ各ピント位置ごとのＡＦ評価値に基づいて、各領域を主要被写体に属する領域と背景被写体に属する領域とに分離する。これにより、上記領域部Ａと上記領域部Ｂが決定される。尚、領域部Ｃに属する各領域は、領域部Ａと領域部Ｂとのいずれか一方の領域部に含まれることとなる。具体的には、領域部Ｃに属する領域の多くが領域部Ａに属する場合は領域部Ａ側に含まれ、領域部Ｃに属する領域の多くが領域部Ｂに属する場合は領域部Ｂ側に含まれることとなる。
【００４１】
さらに、デジタルカメラ１には、ボケピント位置検出手段３６が備えられている。ボケピント位置検出手段３６については図５を参照して説明する。
【００４２】
図５は、ボケピント位置検出手段を説明するためのグラフである。
【００４３】
図５の中央部のグラフの横軸は、合焦位置Ｘ（焦点距離やレンズ位置等）を示す。また、縦軸は全背景領域のＡＦ評価値の平均を示す。
【００４４】
ボケピント位置検出手段３６は、背景被写体に属する領域の全てについてＡＦ評価値が所定の評価閾値Ｋ以下であるという第１の条件を満たす範囲で背景被写体に属する領域全てを１つの領域と見なしたときのＡＦ評価値が最低になる第２の条件を満たすピント位置を求める。即ち、図５の上部の左側のグラフおよび中央部のグラフの左側の円で囲まれた部分に示すように、背景領域番号で示す全領域の平均は最小でも一部領域のＡＦ評価値が評価閾値Ｋを超える場合は、第１の条件を満たす範囲ではないとする。一方、図５の上部の右側のグラフおよび中央部のグラフの右側の円で囲まれた部分に示すように、背景領域番号で示す全領域の平均は最小でなくても全領域のＡＦ評価値が評価閾値Ｋ以下である場合は、第１の条件を満たす範囲とする。この第１の条件を満たす範囲で背景被写体に属する領域全てを１つの領域と見なしたときのＡＦ評価値が最低になる第２の条件を満たすピント位置を求める。このようにして、図５に示す最適背景撮影レンズ位置を求める。
【００４５】
再び図３を参照して説明を続ける。このデジタルカメラ１では、前述した撮影手段により、主要被写体に合焦したピント位置で撮影を行なって主要被写体画像（本発明にいう第２の画像に相当）を生成し、次いでボケピント位置検出手段３６で求められたピント位置で撮影を行なって背景画像（本発明にいう第１の画像に相当）を生成する。尚、ここでは、主要被写体に合焦したピント位置で撮影を行なって主要被写体画像を生成し、次いでボケピント位置検出手段３６で求められたピント位置で撮影を行なって背景画像を生成する例で説明するが、これに限られるものではなく、ボケピント位置検出手段３６で求められたピント位置で撮影を行なって背景画像を生成し、次いで主要被写体に合焦したピント位置で撮影を行なって主要被写体画像を生成してもよい。
【００４６】
さらに、デジタルカメラ１には、主要被写体画像と背景画像とを合成して、主要被写体に合焦するとともに背景被写体がボケた画像を生成する画像合成手段３７が備えられている。
【００４７】
尚、ボケピント位置検出手段３６による、上記第１の条件および上記第２の条件を満たすピント位置の検出が不能であったときには、主要被写体の画像を生成し、かつ、背景被写体に属する各領域のＡＦ評価値がそれぞれ評価閾値Ｋ以下となる複数枚の背景画像（本発明にいう第３の画像に相当）を生成する。また、上記画像合成手段３７は、主要被写体画像と複数枚の背景画像とを合成して、主要被写体に合焦するとともに背景被写体がボケた画像を生成する。
【００４８】
図６は、第１実施形態のデジタルカメラにおいて、主要被写体に合焦するとともに背景被写体がボケた画像を生成する画像合成処理ルーチンのフローを示す図である。
【００４９】
この画像合成処理ルーチンは、シャッタボタン１４が半押し（Ｓ１受付）されると起動する。先ず、ステップＳ１において、レンズ位置をＸへ移動する。次いで、ステップＳ２において、全領域についてＡＦ評価を行なう。具体的には、ＣＣＤ２２上に写る被写界を二次元的に複数の領域に分割したときの各領域についてピント位置を移動させていったときの各ピント位置における合焦の程度を表わすＡＦ評価値（合焦領域ＡＦ評価値）を求める。さらに、ステップＳ３において、合焦領域番号，合焦領域ＡＦ評価値を一時的に記録する。
【００５０】
次に、ステップＳ４において、全領域の合焦位置が取得されたか否かが判定される。全領域の合焦位置が取得されたと判定された場合は、後述するステップＳ７に進む。一方、全領域の合焦位置が取得されていないと判定された場合は、ステップＳ５に進む。ステップＳ５では、Ｘ＝Ｙ（Ｙは、ＡＦサーチ終了の焦点位置を示す）か否かが判定される。Ｘ＝Ｙでないと判定された場合はステップＳ６においてＸをインクリメント（Ｘ＝Ｘ＋１）してステップＳ１に戻る。一方、Ｘ＝Ｙであると判定された場合はＡＦサーチ終了の焦点位置であるため、ステップＳ７に進む。
【００５１】
ステップＳ７では、被写体領域（主要被写体領域）と背景領域を判別する。即ち、各領域ごとかつピント位置ごとのＡＦ評価値に基づいて、各領域を主要被写体に属する領域と背景被写体に属する領域とに分離する。
【００５２】
次に、ステップＳ８において被写体合焦位置へレンズを移動し、さらにステップＳ９において被写体を撮影し、ステップＳ１０において被写体を抽出し一時的に記録する。
【００５３】
ステップＳ１１では、背景の全領域全焦点位置のＡＦ評価値を読み出す。次いで、ステップＳ１２において、全焦点位置の全領域のＡＦ評価値の平均を計算する。さらに、ステップＳ１３において、ＡＦ評価値平均の低い順に番号（背景領域番号）付けを行なう。
【００５４】
ステップＳ１４では、背景領域番号がＺ番目の焦点位置での全領域のＡＦ評価値が評価閾値Ｋ以下（ＡＦ評価値≦Ｋ）か否かが判定される。ＡＦ評価値が評価閾値Ｋ以下であると判定された場合は、後述するステップＳ１７に進む。一方、ＡＦ評価値が評価閾値Ｋを超えていると判定された場合は、ステップＳ１５に進む。ステップＳ１５では、Ｚ＝Ｎ（Ｎは、図４に示す背景領域番号を示す）か否かが判定される。Ｚ＝Ｎでないと判定された場合はステップＳ１６においてＺをインクリメント（Ｚ＝Ｚ＋１）してステップＳ１３に戻る。一方、Ｚ＝Ｎであると判定された場合は後述するステップＳ２０に進む。
【００５５】
ステップＳ１７では、最適背景撮影位置へレンズを移動する。次いで、ステップＳ１８において背景を撮影してステップＳ１９に進む。ステップＳ１９では、被写体と背景との画像を合成してこのルーチンを終了する。
【００５６】
また、ステップＳ１５においてＺ＝Ｎであると判定されてステップＳ２０に進んだ場合は、そのステップＳ２０において、各領域の合焦位置よりレンズ位置をずらして複数個所で背景を撮影する。さらに、ステップＳ１９において、被写体と複数個所で撮影した背景との画像を合成してこのルーチンを終了する。
【００５７】
第１実施形態のデジタルカメラ１は、上述したように、主要被写体を撮影した後に、背景被写体に属する領域の全てについて各領域ごとかつ各ピント位置ごとのＡＦ評価値が所定の評価閾値以下であるという第１の条件を満たす範囲で背景被写体に属する領域全てを１つの領域と見なしたときのＡＦ評価値が最低になる第２の条件を満たすピント位置を求め、そのピント位置をボケピント位置として背景被写体を撮影するものである。このようにすることにより、主要被写体撮影後の、背景被写体を撮影するためのレンズずらし量を小さく抑えることができる。このため、背景被写体を撮影するためのレンズ位置と主要被写体を撮影するためのレンズ位置とのレンズずらし量を小さく抑えることができるとともに、背景被写体が確実にボケた画像を少ない撮影枚数で得ることができる。従って、主要被写体に合焦するとともに背景被写体がボケた画像を生成するにあたり、撮影時間を短縮することができる。
【００５８】
図７は、本発明の撮影装置の第２実施形態のデジタルカメラの回路構成を示すブロック図である。
【００５９】
尚、図７に示すデジタルカメラ２の外観図は、図１，図２に示すデジタルカメラの外観図と同じであるため図示省略する。また、図３に示すデジタルカメラ１と同じ構成要素には同一の符号を付し、異なる点について説明する。
【００６０】
図７に示すデジタルカメラ２では、被写界距離分布測定手段３４による被写界距離分布測定のための撮影レンズ１１のピント位置の移動に先立って撮影を行なって背景画像を生成し、かつ、被写体に合焦したピント位置で撮影を行なって主要被写体画像を生成する。
【００６１】
また、このデジタルカメラ２には、背景画像が、その背景画像を二次元的に複数の領域に分割したときの各領域のうちの背景被写体に属する各領域の全てについてＡＦ評価値が所定の評価閾値以下であるか否かを判定する背景ボケ判定手段４１が備えられている。
【００６２】
さらに、このデジタルカメラ２は、背景画像が、背景ボケ判定手段４１により、背景被写体に属する領域の全てについてＡＦ評価値が所定の評価閾値Ｋ以下であるという条件を満たす画像でなかった場合は、さらに、背景被写体に属する各領域のＡＦ評価値がそれぞれ評価閾値Ｋ以下となる複数枚の背景画像を生成する。また、画像合成手段３７は、主要被写体画像と複数枚の背景画像とを合成して、主要被写体に合焦するとともに背景被写体がボケた画像を生成する。
【００６３】
図８は、第２実施形態のデジタルカメラにおいて、主要被写体に合焦するとともに背景被写体がボケた画像を生成する画像合成処理ルーチンのフローを示す図である。
【００６４】
この画像合成処理ルーチンは、シャッタボタン１４が半押し（Ｓ１受付）されると起動する。先ず、ステップＳ３１において、初期焦点位置（撮影開始指示を受けた時点のレンズ位置）を一時的に記録する。次に、ステップＳ３２において撮影を行なう。さらに、ステップＳ３３において、背景画像（像候：最終的に背景画像になる可能性がある候補の画像）を一時的に記録する。
【００６５】
ステップＳ３４では、公知の技術により、ＡＦ制御後、被写体（主要被写体）の輪郭を抽出し、次いでステップＳ３５において、被写体を抽出して一時的に記録する。さらに、ステップＳ３６において、（１）被写体撮影焦点位置と（２）初期焦点位置との双方を読み出す。
【００６６】
ステップＳ３７では、｜（１）−（２）｜≧Ｌ（Ｌはレンズずらし量）か否かが判定される。即ち、ＡＦ合焦焦点位置と初期撮影時の焦点位置との差分が予定レンズずらし量以上であるか否かが判定される。具体的には、焦点距離差が被写体深度以上であるか否かが判定される。｜（１）−（２）｜≧Ｌであると判定された場合は、ステップＳ３８に進む。ステップＳ３５では、被写体画像と、候補としていた背景画像を合成してこのルーチンを終了する。一方、｜（１）−（２）｜≧Ｌでないと判定された場合は、ステップＳ３９に進む。ステップＳ３９では、各領域の合焦位置よりレンズ位置をずらして複数個所で背景を撮影する。さらに、ステップＳ３８において、被写体と複数個所で撮影した背景との画像を合成してこのルーチンを終了する。
【００６７】
第２実施形態のデジタルカメラ２は、上述したように、シャッタボタン１４が半押しされて撮影開始指示を受けた時点のレンズ位置で撮影を行なって背景被写体の画像を生成し、次いでレンズ位置を移動して各ピント位置における合焦の程度を表わすＡＦ評価値を求め、このＡＦ評価値に基づいて分離された主要被写体に合焦したピント位置で撮影を行なって被写体画像を生成し、この被写体画像と背景被写体の画像とを合成して、主要被写体に合焦するとともに背景被写体がボケた画像を生成するものである。このため、背景被写体の撮影にあたり、撮影レンズ１１を移動する必要はなく、従って主要被写体に合焦するとともに背景被写体が確実にボケた画像を少ない撮影枚数で生成することができ、撮影時間を短縮することができる。
【００６８】
図９は、合焦した被写体画像と、信号処理を施した背景画像を合成する第１の自動ボケ味制御ルーチンのフローを示す図である。
【００６９】
第１の自動ボケ味制御ルーチンは、シャッタボタン１４が半押し（Ｓ１受付）されると起動する。先ず、ステップＳ４１において、ＡＦ制御を行なう。次に、ステップＳ４２において、被写体抽出時に参照した空間周波数を一時的に記録する。
【００７０】
ステップＳ４３では、撮影を行ない、公知の技術により被写体を抽出する。次いでステップＳ４４において、被写体と、その被写体以外の背景を一時的に記録する。さらに、ステップＳ４５において、被写体抽出のため参照した空間周波数（ＡＦ制御時における合焦判定用の１ＭＨｚや３００ｋＨｚ等の周波数）を読み出す。
【００７１】
ステップＳ４６では、背景画像へ画像処理を施すためのローパスフィルタのカットオフ周波数を、被写体抽出のため参照した空間周波数以下に設定する。次いで、ステップＳ４７において、そのカットオフ周波数で背景画像へ画像処理を施す。さらに、ステップＳ４８において、一時的に保存していた被写体画像と、画像処理後の背景画像を合成する。このようにして、被写体の空間周波数に応じて背景画像のボケ味を自動調節してもよい。こうすることにより、被写体画像自体が低空間周波数である場合であっても、背景画像を最適なレベルでボケさせることができる。従って、合成された画像の画質を高めることができる。
【００７２】
図１０は、合焦した被写体画像と、信号処理を施した背景画像を合成する第２の自動ボケ味制御ルーチンのフローを示す図である。
【００７３】
第２の自動ボケ味制御ルーチンは、シャッタボタン１４が半押し（Ｓ１受付）されると起動する。先ず、ステップＳ５１において、公知の技術で所定のレンズ可動範囲で画面内の全領域（全分割領域）の合焦位置を検査する。次に、ステップＳ５２において、被写体を抽出する。
【００７４】
ステップＳ５３では、被写体と、その被写体以外の背景を一時的に記録する。さらに、ステップＳ５４において、背景の全領域の合焦位置を読み出す。次いで、ステップＳ５５において、全領域の被写体相対位置を計算する。即ち、画面内分割領域の合焦位置と被写体合焦位置から各領域の被写体相対距離を計算する（単位は焦点位置、レンズ送りパルス等）。
【００７５】
次に、ステップＳ５６において、背景画像へ画像処理を施すための各領域のカットオフ周波数を設定する。さらに、ステップＳ５７において、そのカットオフ周波数で背景画像へ画像処理を施す。さらに、ステップＳ５８において、一時的に保存していた被写体画像と、画像処理後の背景画像を合成する。
【００７６】
図１１は、図１０に示すステップＳ５６で設定するカットオフ周波数の一例を示す図である。
【００７７】
図１１の横軸は合焦位置Ｘ（焦点距離やレンズ位置等）を示す。また、縦軸はカットオフ周波数のレベルを示す。図８に示すように、被写体位置はカットオフ周波数のピークにある。ここで、カットオフ周波数のピークの位置から左にずれた場合は背景はややボケることとなり、被写体がカットオフ周波数のピークの位置から右にずれた場合は背景はかなりボケることとなる。このように、被写体に対する位置（デジタルカメラからの距離と同義）に応じて背景画像のボケ味を自動調節して、合成された画像の画質を高めてもよい。
【００７８】
図１２は、合焦した被写体画像と、信号処理を施した背景画像を合成する第３の自動ボケ味制御ルーチンのフローを示す図である。
【００７９】
第３の自動ボケ味制御ルーチンは、シャッタボタン１４が半押し（Ｓ１受付）されると起動する。先ず、ステップＳ６１において、ＡＦ制御して撮影した後、公知の技術で被写体の輪郭を抽出する。次に、ステップＳ６２において、被写体と、その被写体以外の背景を一時的に記録する。さらに、ステップＳ６３において、各領域の被写体からの距離（単位はピクセル等）を計算する。
【００８０】
次に、ステップＳ６４において、背景画像へ画像処理を施すための各領域のカットオフ周波数を設定する。さらに、ステップＳ６５において、そのカットオフ周波数で背景画像へ画像処理を施す。さらに、ステップＳ６６において、一時的に保存していた被写体画像と、画像処理後の背景画像を合成する。
【００８１】
図１３は、図１２に示すステップＳ６４で設定するカットオフ周波数の一例を示す図、およびそのカットオフ周波数で処理された画像処理イメージを示す図である。
【００８２】
図１３（ａ）には、被写体からの距離（画面内）とカットオフ周波数の関係が示されている。図１３（ａ）の横軸は被写体からの距離（焦点距離やレンズ位置等）を示し、縦軸はカットオフ周波数のレベルを示す。
【００８３】
図１３（ａ）に示すように、被写体位置はカットオフ周波数のピークにある。ここで、カットオフ周波数のピークの位置からややずれた位置Ａにおいては、図１３（ｂ）に示すように背景はややボケることとなる。また、カットオフ周波数のピークの位置からある程度ずれた位置Ｂにおいては、図１３（ｂ）に示すように背景もある程度ボケることとなる。さらに、カットオフ周波数のピークの位置からかなりずれた位置Ｃやさらにずれた位置Ｄにおいては、図１３（ｂ）に示すように背景もかなりボケることとなる。
【００８４】
このようにして、被写体に対する位置（画面内の被写体からの距離）に応じて、背景画像のボケ味を自動調節してもよい。このようにすることにより、被写体抽出精度が悪くても、被写体の周囲ではボカシを弱く、被写体から離れた領域ではボカシを強くすることができる。このため、被写体の、抽出精度に起因する不自然な輪郭を目立たないようにすることができ、従って画質を高めることができる
図１４は、本発明の撮影装置の第３実施形態のデジタルカメラの回路構成を示すブロック図である。
【００８５】
尚、図１４に示すデジタルカメラ３の外観図は、図１，図２に示すデジタルカメラの外観図と同じであるため図示省略する。また、図３に示すデジタルカメラ１と同じ構成要素には同一の符号を付し、異なる点について説明する。
【００８６】
図１４に示すデジタルカメラ３には、背景被写体に属する領域それぞれの合焦位置の全てから所定の距離閾値離れたピント位置を検出するボケピント位置検出手段５１が備えられている。また、このボケピント位置検出手段５１による、背景被写体に属する領域それぞれの合焦位置の全てから所定の距離閾値離れたピント位置の検出が不能であったときは、主要被写体画像を生成し、かつ、背景被写体に属する各領域の評価値がそれぞれ評価閾値以下となる複数枚の背景画像を生成する。
【００８７】
図１５は、第３実施形態のデジタルカメラにおいて、主要被写体に合焦するとともに背景被写体がボケた画像を生成する画像合成処理ルーチンのフローを示す図である。
【００８８】
この画像合成処理ルーチンは、シャッタボタン１４が半押し（Ｓ１受付）されると起動する。先ず、ステップＳ７１において、レンズ位置をＸへ移動する。次いで、ステップＳ７２において、全領域についてＡＦ評価を行なう。さらに、ステップＳ７３において、ＡＦ合焦領域があるか否かが判定される。ＡＦ合焦領域があると判定された場合は、後述するステップＳ７６に進む。一方、ＡＦ合焦領域がないと判定された場合は、ステップＳ７４に進む。ステップＳ７４では、Ｘ＝Ｙ（Ｙは、ＡＦサーチ終了の焦点位置を示す）か否かが判定される。Ｘ＝Ｙでないと判定された場合はステップＳ７５においてＸをインクリメント（Ｘ＝Ｘ＋１）してステップＳ７１に戻る。一方、Ｘ＝Ｙであると判定された場合はＡＦサーチ終了の焦点位置であるため、後述するステップＳ７８に進む。
【００８９】
ステップＳ７３では、合焦領域番号と合焦位置を一時的に記録する。さらに、ステップＳ７７において、全領域の合焦位置を取得したか否かが判定される。全領域の合焦位置を取得していないと判定された場合はステップＳ７３に戻る。一方、全領域の合焦位置を取得したと判定された場合はステップＳ７８に進む。
【００９０】
ステップＳ７８では、被写体領域（主要被写体領域）と背景領域を判別する。次に、ステップＳ７９において被写体合焦位置へレンズを移動し、さらにステップＳ８０において被写体を撮影し、ステップＳ８１において被写体を抽出し一時的に記録する。
【００９１】
ステップＳ８２では、背景の全領域の合焦位置を読み出す。次いで、ステップＳ８３において、焦点位置Ｘ±Ｌ（Ｌはレンズずらし量）での合焦領域を検索する。さらに、ステップＳ８４において、Ｘ±Ｌで合焦する領域が無いか否かが判定される。Ｘ±Ｌで合焦する領域がないと判定された場合は、後述するステップＳ８７に進む。一方、Ｘ±Ｌで合焦する領域があると判定された場合は、ステップＳ８５に進む。ステップＳ８５では、Ｘ＝Ｙか否かが判定される。Ｘ＝Ｙでないと判定された場合はステップＳ８６においてＸをインクリメント（Ｘ＝Ｘ＋１）してステップＳ８３に戻る。一方、Ｘ＝Ｙであると判定された場合は、後述するステップＳ９０に進む。
【００９２】
ステップＳ８７では、最適背景撮影位置へレンズを移動する。即ち、背景被写体に属する領域それぞれの合焦位置の全てから所定の距離閾値離れたピント位置へレンズを移動する。次いで、ステップＳ８８において背景を撮影してステップＳ８９に進む。ステップＳ８９では、被写体と背景との画像を合成してこのルーチンを終了する。
【００９３】
また、ステップＳ８５においてＸ＝Ｙであると判定されてステップＳ９０に進んだ場合は、そのステップＳ９０において、各領域の合焦位置よりレンズ位置をずらして複数個所で背景を撮影する。さらに、ステップＳ８９において、被写体と複数個所で撮影した背景との画像を合成してこのルーチンを終了する。
【００９４】
図１６は、合焦する背景領域が無いと判定されて移動された最適背景撮影レンズ位置を示す図である。
【００９５】
図１６の横軸は合焦位置Ｘ（焦点距離やレンズ位置等）を示し、縦軸は合焦領域数を示す。
【００９６】
図１６には、図１５に示すステップＳ８３において全焦点位置Ｘ±Ｌでの合焦領域を検索し、次いでステップＳ８４においてＸ±Ｌで合焦する領域が無いと判定され、さらにステップＳ８７において最適背景撮影位置へレンズを移動した場合の最適背景撮影レンズ位置が示されている。
【００９７】
図１６に示す、最適背景撮影レンズ位置を挟んだ２つのレンズずらし量Ｌにおける部分は、合焦領域発生に至る所定マージンを表わしている。この最適背景撮影レンズ位置において背景を撮影して被写体（主要被写体）と背景との画像を合成して、主要被写体に合焦するとともに背景被写体がボケた画像を生成する。
【００９８】
第３実施形態のデジタルカメラ３は、上述したように、主要被写体を撮影した後に、背景被写体に属する領域それぞれの合焦位置の全てから所定の距離閾値離れたピント位置を検出し、そのピント位置をボケピント位置として背景被写体を撮影するものである。このため、背景被写体の撮影にあたり、レンズずらし位置を、背景被写体に属する領域それぞれの合焦位置の全てから所定の距離閾値分ずらした位置にすればよい。このようにすることにより、背景被写体の撮影におけるレンズずらし量を小さく抑えることができるとともに、背景被写体が確実にボケた画像を少ない撮影枚数で得ることができる。従って、主要被写体に合焦するとともに背景被写体がボケた画像を生成するにあたり、撮影時間を短縮することができる。また、ここでは、ＡＦ評価値を記録する必要はなく、従って処理時間の短縮化が図られる。
【００９９】
尚、上述した本実施形態では、本発明にいう撮影装置として、デジタルカメラの例で説明したが、これに限られるものではなく、本発明にいう撮影装置は、携帯電話やＰＤＡに搭載されるカメラ、あるいはビデオカメラ等であってもよい。
【図面の簡単な説明】
【０１００】
【図１】本発明の撮影装置の第１実施形態のデジタルカメラを前面斜め上から見た外観斜視図である。
【図２】図１に示すデジタルカメラを背面斜め上から見た外観斜視図である。
【図３】図１に示すデジタルカメラの回路構成を示すブロック図である。
【図４】ＣＣＤ上に写る被写界を二次元的に複数の領域に分割したときの各領域を示す図である。
【図５】ボケピント位置検出手段を説明するためのグラフである。
【図６】第１実施形態のデジタルカメラにおいて、主要被写体に合焦するとともに背景被写体がボケた画像を生成する画像合成処理ルーチンのフローを示す図である。
【図７】本発明の撮影装置の第２実施形態のデジタルカメラの回路構成を示すブロック図である。
【図８】第２実施形態のデジタルカメラにおいて、主要被写体に合焦するとともに背景被写体がボケた画像を生成する画像合成処理ルーチンのフローを示す図である。
【図９】合焦した被写体画像と、信号処理を施した背景画像を合成する第１の自動ボケ味制御ルーチンのフローを示す図である。
【図１０】合焦した被写体画像と、信号処理を施した背景画像を合成する第２の自動ボケ味制御ルーチンのフローを示す図である。
【図１１】図１０に示すステップＳ５６で設定するカットオフ周波数の一例を示す図である。
【図１２】合焦した被写体画像と、信号処理を施した背景画像を合成する第３の自動ボケ味制御ルーチンのフローを示す図である。
【図１３】図１２に示すステップＳ６４で設定するカットオフ周波数の一例を示す図、およびそのカットオフ周波数で処理された画像処理イメージを示す図である。
【図１４】本発明の撮影装置の第３実施形態のデジタルカメラの回路構成を示すブロック図である。
【図１５】第３実施形態のデジタルカメラにおいて、主要被写体に合焦するとともに背景被写体がボケた画像を生成する画像合成処理ルーチンのフローを示す図である。
【図１６】合焦する背景領域が無いと判定されて移動された最適背景撮影レンズ位置を示す図である。
【符号の説明】
【０１０１】
１，２，３  デジタルカメラ
１ａ  カメラボディ
１１  撮影レンズ
１２  光学式ファインダ対物窓
１３  補助光発光部
１４  シャッタボタン
１５  電源スイッチ
１６  光学式ファインダ接眼窓
１７  メニュースイッチ
１８  実行／画面切換スイッチ
１９  画像モニタ
２２  ＣＣＤ
２３  アナログ信号処理部
２４  Ａ／Ｄ部
２５  デジタル信号処理部
２６  テンポラリメモリ
２７  圧縮伸張部
２８  内蔵メモリ
２９  駆動回路
３０  ＣＰＵ
３１  操作スイッチ群
３２  ＡＦ検出回路
３３  ＡＥ＆ＡＷＢ検出回路
３４  被写体距離分布測定手段
３５  領域分離手段
３６  ボケピント位置検出手段
３７  画像合成手段
４１  背景ボケ判定手段
５１  ボケピント位置検出手段
【図１】
2008245054.tif 000003
【図２】
2008245054.tif 000004
【図３】
2008245054.tif 000005
【図４】
2008245054.tif 000006
【図５】
2008245054.tif 000007
【図６】
2008245054.tif 000008
【図７】
2008245054.tif 000009
【図８】
2008245054.tif 000010
【図９】
2008245054.tif 000011
【図１０】
2008245054.tif 000012
【図１１】
2008245054.tif 000013
【図１２】
2008245054.tif 000014
【図１３】
2008245054.tif 000015
【図１４】
2008245054.tif 000016
【図１５】
2008245054.tif 000017
【図１６】
2008245054.tif 000018